(57)【要約】【目的】１８リットル缶等の大容量容器を小さい押圧力により、扁平状に圧潰する空容器潰し機を提供する。【構成】ベース１上に受圧ブロック１６を配設し、該受圧ブロック１６に対向して上方に加圧ブロック１７を配設し、該加圧ブロック１７を下降することにより、該受圧ブロック１６上に横置した空容器２６の天板２７及び底板２８間の胴部２９を該受圧ブロック１６と加圧ブロック１７間にて挟み圧縮変形する空容器潰し機において、加圧ブロック１７の下面（又は受圧ブロック１６の上面）に突起部１９を突設し、受圧ブロック１６の上面（又は加圧ブロック１７の下面）に上記加圧ブロック１７の下面（又は受圧ブロック１６の上面）の突起部１９に咬合する溝１８を刻設したことを特徴とした空容器潰し機。【選択図】図２
2005034902.tif 000002
【特許請求の範囲】
【請求項１】
ベース上に受圧ブロックを配設し、該受圧ブロックに対向して上方に加圧ブロックを配設し、該加圧ブロックを下降することにより、該受圧ブロック上に横置した空容器の天板及び底板間の胴部を該受圧ブロックと加圧ブロック間にて挟み圧縮変形する空容器潰し機において、加圧ブロックの下面（又は受圧ブロックの上面）に突起部を突設し、受圧ブロックの上面（又は加圧ブロックの下面）に上記加圧ブロックの下面（又は受圧ブロックの上面）の突起部に咬合する溝を刻設したことを特徴とした空容器潰し機。
【発明の詳細な説明】
【発明の詳細な説明】
【産業上の利用分野】
【０００１】  本発明は、使用済みの１８リットル缶等の大容量の空容器を潰し、扁平に圧縮変形する潰し機に関する。
【背景技術】
【０００２】
【特許文献１】特開２０００−２０２６９５
【０００３】  特許文献１は、上下の板で空容器を挟み、空容器の胴部を扁平に圧縮変形して天板と底板がフランジ状に張り出したＨ字形状に変形する空容器潰し機を示している。
【発明が解決しようとする課題】
【０００４】  而して，特許文献１の方法によりＨ字形状に変形した空容器は、扁平に圧縮された胴板に対し、天板と底板が直角に張り出し、換言すると天板と底板の中央部から胴板が垂直に延びた剛構造となる。
【０００５】  従って、上記Ｈ字形状に変形された空容器の天板又は底板を床面に設置し、該空容器を垂直上方より天板又は底板を押圧して扁平圧潰せんとした場合には、扁平胴板の垂直抗力により強大な圧潰力を要する。
【課題を解決するための手段】
【０００６】  本発明は、上記の問題点を解決する空容器潰し機を提供する。本空容器潰し機は、ベース上に受圧ブロックを配設し、該受圧ブロックに対向して上方に加圧ブロックを配設し、該加圧ブロックを下降することにより、該受圧ブロック上に横置した空容器の天板及び底板間の胴部を該受圧ブロックと加圧ブロック間にて挟み圧縮変形する空容器潰し機において、加圧ブロックの下面（又は受圧ブロックの上面）に突起部を突設し、受圧ブロックの上面（又は加圧ブロックの下面）に上記加圧ブロックの下面（又は受圧ブロックの上面）の突起部に咬合する溝を刻設した。
【０００７】  これにより空容器の胴部を圧潰し、且つ該胴部を上記突起部と溝で圧潰することで折り目を形成せしめ、爾後の底板と天板間における圧縮変形作業を容易にした。
【発明を実施するための最良の形態】
【０００８】  本発明の空容器潰し機の構成を図１乃至図８に基づき説明する。図１に示すように、ベース１上に前後方向に延在した受圧ブロック１６を配設した、該受圧ブロック１６に対向して上方に、前後方向に延在した加圧ブロック１７を配設する。【０００９】  又、上記加圧ブロック１７を取付けたヘッド３の後辺に枠形の後部ガイド８を設け、該後部ガイド８をベース１の後辺から立設した支柱２に外挿し、該ヘッド３を後部ガイド８の案内下で加圧ブロック１７と一体に該支柱２に沿って上下動せしめる。【００１０】  上記後部ガイド８は、支柱２に対し前後方向に一定の遊びを有し、この遊びにより加圧ブロック１７の前後の傾きを許容する。【００１１】  上記支柱２に該ベース１の上方において上下回動する操作レバー４の基端を支軸５を以って枢支して、ベース１前方へ向け延設し、該操作レバー４と該ヘッド３間を中間リンク６・７にて枢結し、該操作レバー４の支軸５を支点とする上下回動によりヘッド３即ち加圧ブロック１７を上下動する。【００１２】  上記操作レバー４の回動運動をヘッド３に伝達する中間リンクは、前後に間隔を置いて並設した二本のリンク６・７で形成し、各リンク６・７の上端を操作レバー４の中間延在部の前後に支軸９・１０を以って各々枢結すると共に、各リンク６・７の下端を上記ヘッド３の前後に支軸１１・１２を以って枢結する。よって、操作レバー４とヘッド３間を二本の並行リンク６・７にて連結する。【００１３】操作レバー４の支軸５とは反対側の端部に手操作用の把手１３を配設し、また操作レバー４に係止ピン１４を配設すると共に、上記支柱２の支軸５の上部に枢支した上下回動するフック１５を配設し、該操作レバー４を上方回動位置（待機位置）において上記フック１５を該係止ピン１４に係止することにより、該操作レバー４を上方回動位置で保持し、上記受圧ブロック１６上に空容器２６を横置する。【００１４】  図１、図２に示すように上記加圧ブロック１７の下面に空容器２６の胴板２９を押圧する前後方向に延在する突起部１９を突設し、上記受圧ブロック１６の上面に上記加圧ブロックの突起部１９に咬合する溝１８を刻設する。【００１５】  又、図１に示すようにベース１の前方に縦ガイドレール２０を立設し、該縦ガイドレール２０に沿って上記加圧ブロック１７の前端の上下動を案内する該縦ガイドレール２０に滑合した前部ガイド２１を該加圧ブロック１７に配設する。【００１６】  又、ベース１上に、受圧ブロック１６上に横置した空容器２６の位置決めストッパー２２・２３を、受圧ブロック１６を中央にして左右に対向して配置する。【００１７】  この位置決めストッパー２２・２３は例えばＬ形を呈し、Ｌ形の内部に天板２７と底板２８のエッジ部を係合して空容器２６の前後、左右の位置決めを図る。【００１８】  又、上記ベース１の前端から、前方向に延びる安定アーム２４・２５を上記操作レバー４と平行に並設し、該安定アーム２４・２５の中間線上に上記操作レバー４が延び、同中間線上において上下回動するように構成している。【００１９】  図３、図４に示すように、空容器２６の胴部を受圧ブロック１６上に横置してストッパー２２・２３に当接し、フック１５を係止ピン１４から解除��操作レバー４を下降回動し、よって加圧ブロック１７は中間リンク６・７を介して下降し、第一次押圧で上記空容器２６の胴部中央を圧縮する。【００２０】  而して、図２に示すように、加圧ブロック１７と受圧ブロック１６は空容器２６の胴板２９を圧潰し、且つ加圧ブロック１７に突設した突起部１９と受圧ブロック１６に刻設した溝１８が該胴板２９を圧潰することにより、該胴板２９を「逆さへの字」状に圧潰変形せしめる。【００２１】  ついで、操作レバー４を上方回動し、上記フック１５で以って係止軸１４を係止して、加圧ブロック１７を上方回動位置で保持し、図５・図６に示すように上記圧縮変形した空容器２６の天板２７又は底板２８を、受圧ブロック１６上に載置する。【００２２】  第二次押圧で、フック１５を解除して操作レバー４を下降回動し、加圧ブロック１７を下降し、該空容器２６の天板２７又は底板２８を押圧する。【００２３】  而して、上記空容器２６の胴板２９が、図６、図７に示すように、中央が折れ曲がっていることにより、天板２７又は、底板２８に加圧ブロック１７で垂直押圧力を与えると、該胴板２９は、加圧ブロック１７が下降するに伴い容易に折り畳まれ、扁平に圧潰される。【００２４】  尚、上記空容器２６を押圧する方法は、油圧シリンダー方式、エアーシリンダー方式、油圧ジャッキ方式等のいずれの方式でも良い。
【発明の効果】
【００２５】  本発明の空容器潰し機によれば、突起部と溝が空容器の胴部中央を「逆さへの字」状に圧潰変形せしめることにより、天板と底板からの押圧に対する抗力が弱められ、該空容器は容易に折り畳められ、小さい押圧力で扁平に圧潰される。
【図面の簡単な説明】
【図１】  本発明の空容器潰し機の全体斜視図である。
【図２】  空容器の胴部を圧縮変形しつつ「逆さへの字」状に変形圧潰せしめた状態を表す空容器潰し機の正面図である。
【図３】  横置した空容器の胴部中央を、受圧ブロックと加圧ブロックにて挟んだ状態を表した空容器潰し機の全体斜視図である。
【図４】  横置した空容器の胴部を加圧ブロックと受圧ブロックにて圧縮した状態を表す空容器潰し機の全体側面図である。
【図５】  底板を受圧ブロック上に載置した状態を表す空容器潰し機の斜視図である。
【図６】  底板を受圧ブロック上に載置し、天板に加圧ブロックを当接した状態を表す空容器潰し機の全体側面図である。
【図７】  受圧ブロック上に載置した空容器の天板を加圧ブロックにて押圧して、該空容器を扁平状に圧潰した状態を表す空容器潰し機の全体側面図である。
【図８】  扁平状に圧潰された空容器の平面図である。
【符号の説明】
１−ベース
２−支柱
３−ヘッド
４−操作レバー
５−操作レバー後端支軸
６・７−中間リンク
８−後部ガイド
９乃至１２−中間リンク支軸
１３−操作レバーの把手
１４−係止ピン
１５−フック
１６−受圧ブロック
１７−加圧ブロック
１８−溝
１９−突起部
２０−縦ガイドレール
２１−前部ガイド
２２・２３−空容器位置決めストッパー
２４・２５−安定アーム
２６−空容器
２７−空容器の天板
２８−空容器の底板
２９−空容器の胴板
【図１】
2005034902.tif 000003
【図２】
2005034902.tif 000004
【図３】
2005034902.tif 000005
【図４】
2005034902.tif 000006
【図５】
2005034902.tif 000007
【図６】
2005034902.tif 000008
【図７】
2005034902.tif 000009
【図８】
2005034902.tif 000010